(57)【特許請求の範囲】
【請求項１】
小径と大径の記録媒体を挿入可能な挿入口と、前記記録媒体を再生する再生機構とを備えた記録媒体再生装置であって、
小径の記録媒体を所定位置に位置決めする第１の位置決め部と、大径の記録媒体を所定位置に位置決めする第２の位置決め部とを同一部材内に備える位置決め手段と、
一端が前記位置決め手段に当接するとともに、他端が挿入された前記大径の記録媒体にのみ当接する当接部材と、を備え、
前記大径の記録媒体挿入時に、前記当接部材が前記大径の記録媒体との当接に伴い作動し、前記位置決め手段が前記当接部材に連動することにより、前記第１の位置決め部が前記大径の記録媒体の搬送経路上から退避するとともに、前記第２の位置決め部が当該搬送経路上に立設することを特徴とする記録媒体再生装置。
【請求項２】
前記位置決め手段は、前記第１の位置決め部が搬送中の記録媒体の記録面に略垂直な方向に退避するように可動することを特徴とする請求項１記載の記録媒体再生装置。
【請求項３】
前記当接部材は、前記他端が前記大径の記録媒体の周縁のみと当接することを特徴とする請求項１または２に記載の記録媒体再生装置。
【請求項４】
前記位置決め手段は、装置奥方であって、記録媒体の記録面に略平行な軸を回動軸として傾動可能に可動することを特徴とする請求項１〜３のいずれか一項に記載の記録媒体再生装置。
【発明の詳細な説明】
【０００１】
【発明の属する技術分野】
本発明は、記録媒体再生装置に係り、詳しくは、ＣＤ等のディスクを挿入した際に、ターンテーブルのクランプ位置で位置決めする位置決め機構に改良を施した記録媒体再生装置に関する。
【０００２】
【従来の技術】
近年、ＣＤ、ＤＶＤ等のディスクを記録媒体とする再生装置が広く普及しているが、このようなディスク再生装置の中には、例えば自動車内で音楽を楽しむために、図１２に示すように、車載用の装置（ＣＤプレーヤ）１が開発されている。
【０００３】
このような装置は、再生装置に挿入された直径８ｃｍのディスクと、１２ｃｍのディスクとを、それぞれ再生機構上にセンタリングしながら位置決めするように構成されている。
【０００４】
上記センタリング機構の一例として、クランパアームに設けられ、挿入されたディスクを再生機構上に位置決めするための位置決め部を備えた左右１組のセンタリングアームと、該センタリングアームの位置決め部を所定の位置にて位置決めするセンタリングロックアームとで構成されている。
この位置決め部は、８ｃｍディスクを再生機構上に位置決め可能とする位置に待機し、１２ｃｍディスクが挿入された際には、１２ｃｍディスクの外周縁に押されて装置後方に移動するようになっている。すなわち、８ｃｍディスクが挿入された場合には、８ｃｍディスクを再生機構上に位置決めするように、センタリングロックアームにてセンタリングアームをロックし、１２ｃｍディスクが挿入された場合には、１２ｃｍディスクを再生機構上に位置決めするように、センタリングアームのロックを解除するようになっている。
【０００５】
【発明が解決しようとする課題】
しかしながら、上記従来例の場合、８ｃｍのディスクと１２ｃｍのディスクとを位置決めするために、上記に示したような部材が必要となり、部品点数の増加を招くといった問題点がある。
また、位置決め部が大幅に移動する構成となっているため、各ディスクを位置決めした際の位置決め精度にも影響が生じるくるといった問題点がある。
【０００６】
本発明は、このような諸事情に対処するために提案されたものであって、部品点数が少なくてすむとともに、装置内部に搬送されてきたディスクを再生位置に精度よく位置決めすることができ、且つより一層のコンパクト化が可能な記録媒体再生装置を提供することを目的とするものである。
【０００７】
【課題を解決するための手段】
この目的を達成するため、本発明は以下の特徴を有する。一つには、小径と大径の記録媒体を挿入可能な挿入口と、前記記録媒体を再生する再生機構とを備えた記録媒体再生装置であって、小径の記録媒体を所定位置に位置決めする第１の位置決め部と、大径の記録媒体を所定位置に位置決めする第２の位置決め部とを同一部材内に備える位置決め手段と、一端が前記位置決め手段に当接するとともに、他端が挿入された前記大径の記録媒体にのみ当接する当接部材と、を備え、前記大径の記録媒体挿入時に、前記当接部材が前記大径の記録媒体との当接に伴い作動し、前記位置決め手段が前記当接部材に連動することにより、前記第１の位置決め部が前記大径の記録媒体の搬送経路上から退避するとともに、前記第２の位置決め部が当該搬送経路上に立設することを特徴とする。
【０００８】
また一つには、前述した記録媒体再生装置であって、前記位置決め手段は、前記第１の位置決め部が搬送中の記録媒体の記録面に略垂直な方向に退避するように可動することを特徴とする。
【０００９】
また一つには、前述した記録媒体再生装置であって、前記当接部材は、前記他端が前記大径の記録媒体の周縁のみと当接することを特徴とする。
【００１０】
また一つには、前述した記録媒体再生装置であって、記位置決め手段は、装置奥方であって、記録媒体の記録面に略平行な軸を回動軸として傾動可能に可動することを特徴とする。
【００１１】
このような特徴を有する本発明によると、まず、位置決め手段としては同一部材内に第１の位置決め部及び第２の位置決め部が形成されている。そして、再生機構上に搬入される小径の記録媒体、例えば８ｃｍ径の記録媒体を位置決めする場合には第１の位置決め部で位置決めし、大径の記録媒体、例えば１２ｃｍ径の記録媒体を位置決めする場合には第２の位置決め部で位置決めする。また、一端が位置決め手段に当接するとともに他端が挿入された大径の記録媒体にのみ当接する当接部材を備える。そして、大径の記録媒体搬入時に、当接部材が大径の記録媒体との当接に伴い作動し、位置決め手段が当接部材に連動することにより、第１の位置決め部を大径の記録媒体の搬送経路上から退避させる。これによると、当接部材を介して大径の記録媒体が搬送される力を利用して、第１の位置決め部を退避させることができるので、位置決め手段の機構を簡略化することが可能になり、装置のコンパクト化及び部品点数の減少を図ることができる。
【００１２】
また、前記第１の位置決め部が搬送中の記録媒体の記録面に略垂直な方向に退避するように可動するように位置決め手段を可動させているため、搬送中の記録媒体との干渉を確実に防止することができる。
【００１３】
また、前記位置決め手段は、装置奥方であって、記録媒体の記録面に略平行な軸を回動軸として傾動可能に可動する構成としているため、位置決め手段の移動量、特に装置の上下方向の移動量が若干でよいため、装置の小型化、特に薄型化を実現させることができる。
【００１８】
【発明の実施の形態】
以下、本発明に係る記録媒体再生装置の好適な実施形態を添付図面を参照して説明する。尚、本発明の記録媒体再生装置は、ＣＤ、ＤＶＤ等のディスクを再生する装置であるが、以下記載の実施例ではＣＤを一例として説明する。
【００１９】
図１は、本発明の記録媒体再生装置の全体斜視図、図２は記録媒体再生装置の要部であるシャーシ部分を示した概略斜視図、図３はその内部構造を示した平面図、図４は正面図である。
【００２０】
図において、符号１は車のインパネ内に設置される筐体、符号２は前記筐体１内にダンパ３を介してフローティング状態に支持されているシャーシである。
前記筐体１は直方体状の枠体で形成されており、前部に８ｃｍＣＤあるいは１２ｃｍＣＤを挿入する挿入口１１が開口されている。また該挿入口１１と連続して該挿入口１１の下側には、後述するロックアーム２１が嵌合する切り欠き部１２が形成されている。
【００２１】
前記シャーシ２は、前記筐体１の前部及び後部の左右４箇所に配置されているダンパ３を介して、筐体１内でフローティング状態を維持するように支持されている。前記ダンパ３はエラストマ樹脂にて形成されており、変形及び復元する弾性力を有しており、シャーシ２に連結されているダンパシャフト３１が挿入結合されている。
【００２２】
また後で詳しく説明するが、前記シャーシ２の前部には各ＣＤを搬送するディスク搬送ローラ８が配設されており、該ディスク搬送ローラ８の上方には各ＣＤの搬送角度を調整するディスクガイドアーム７が配設されている。また、前記シャーシ２の後部には各ＣＤをクランプするクランパアーム６が配設されている。
【００２３】
図３，４に示すように、前記ロックアーム２１はシャーシ２の前部にて回動自在に配置され、その先端部は前記切り欠き部１２の上面と面一になっている。また、前記切り欠き部１２の外側は上方から下方にかけて緩やかな傾斜状に形成されており、その下部が前記ロックアームの嵌合部になっている。そして、ロックアームの回動により、該ロックアームの先端が前記切り欠き部１２に引っかかりながら傾斜部に誘導され、シャーシ２を押し下げながら前記切り欠き部１２に嵌合する。
【００２４】
そして、図４（ｂ）に示すように、シャーシ２が押し下げられることで、ダンパシャフト３１も下方へ移動し、それに伴いダンパ３は下側へ弾性変形する。
その結果、挿入口１１から再生機構に至る通過領域内にダンパ３が介在したとしても、記録媒体搬送時にダンパを弾性変形させて前記通過領域内より退避させることができるので、該記録媒体の搬送・通過に影響を及ぼすことはない。
さらに、シャーシ２が筐体１に固定されることで、ディスク搬送時に、シャーシ２が振動等によりガタつくことなく、ディスク搬送がなされるようになる。
【００２５】
また、図２，３，５に示すように、挿入口１１から挿入されたＣＤを挿入口１１の中央に位置させるセンタリング機構は、ディスク挿入口１１の内側に所定間隔を隔てて配置された１対のセンタリングアーム２２，２２と、このセンタリングアーム２２，２２に対して回動可能に接合された１対の連結アーム２３，２３と、該連結アーム２３，２３の他端をディスクの挿入方向へ移動可能にガイドするガイド部としての長孔２４等とを具備して構成されている。
【００２６】
図２に示すように、センタリングアーム２２には、後述するディスクの径を識別する識別手段としてのスイッチ２７，２８と当接してスイッチをオン・オフする円弧状のカム面２２ａが形成されており、このセンタリングアーム２２は、支持ピン２２ｂを介してシャーシ２に枢支されている。
【００２７】
センタリングアーム２２，２２の前端には、挿入されたディスクの周縁と当接するセンタリングピン２２ｃ，２２ｃが取り付けられている。また、センタリングアーム２２，２２の後端には、１対の連結アーム２３，２３の一端が回動可能にピン２２ｄによって連結されている。また、連結アーム２３，２３の他端には、ガイド部としての長孔２４内を移動するガイドピン２５が連結アーム２３，２３を連結した状態で設けられている。
【００２８】
図２に示すように、長孔２４は、そのほぼ中間に、長孔２４の最短幅よりも大きな直径を有する異径孔２４ａが形成され、また、長孔２４は、その長手方向が全体としてはディスクの挿入方向に対して平行に形成されている。これにより、連結アーム２３は、ディスクの挿入方向と平行にガイドピン２５を介して長孔２４内を移動することができる。
【００２９】
ガイドピン２５は、シャーシ２に一端が固定されたばね２６により装置奥方向に常に付勢されている。
このような構成のセンタリング機構は、ディスク挿入前などの通常時、図２または図５の一点斜線に示すような位置に待機している。
すなわち、センタリングピン２２ｃ、２２ｃがセンタリングアーム２２，２２及び連結アーム２３，２３を介して互いの間隔が狭まる方向に付勢されている。このときセンタリングピン２２ｃ、２２ｃの間隔は、８ｃｍＣＤの外径よりもやや狭い間隔となるように設定されている。
また、ディスクの挿入動作によって、センタリングピン２２ｃ、２２ｃは、各ＣＤを中心方向に付勢させながら図５の矢印方向に回動して、ＣＤのセンタリングがなされるようになっている。
なお、図３または図５の一点斜線に示す位置にセンタリングピンが位置する場合は、１２ｃｍＣＤが挿入された場合のみである。
さらに、１対の連結アーム２３，２３で、仮にどちらか一方の連結アームにのみ力が付加された場合、すなわち、ＣＤが左右いずれかの方向に偏って挿入されて、センタリングピン２２ｃ，２２ｃのどちらか一方に力が付加された場合には、後述するガイドピン２５は前記異径孔２４ａ内に入り込み、それ以上移動することができなくなる。
【００３０】
また前記センタリングピン２２ｃの後段にはディスクガイドアーム７が設けられている。このディスクガイドアーム７は、ディスク搬送ローラ８の上方に配置されており、前記ディスク搬送ローラ８とディスクガイドアーム７とで８ｃｍＣＤ及び１２ｃｍＣＤを挟み込みながら搬送して搬送角度を制御するものである。
【００３１】
詳しくは、図７に示すように、ディスクガイドアーム７には７Ａ及び７Ｂのテーパ面が設けられている。該テーパ面７Ａ及び７Ｂは、ディスク搬送ローラ８よりも若干装置の後段に形成されており、挿入口１１より挿入されたＣＤは、ディスク搬送ローラ８により搬送されて、８ｃｍＣＤはテーパ面の浅い７Ａを通過し、１２ｃｍＣＤテーパ面の深い７Ｂを通過する。
そのため、８ｃｍＣＤはディスク搬送ローラ８とテーパ面７Ａとに挟まれて搬送されるため、やや搬送角度はやや上方になる。対して１２ｃｍＣＤはディスク搬送ローラ８とテーパ面７Ｂとに挟まれて搬送されるため、やや搬送角度はほぼ平行になる。
そのため、テーパの高低差により、１２ｃｍＣＤに対して８ｃｍＣＤはやや上向きに傾いて再生機構に搬送される。
【００３２】
前述したセンタリングピン２２ｃが回動すると、図２、図６に示すように、前記センタリングピン２２ｃと一体成形されているセンタリングアーム２２が支持ピン２２ｂを中心に回動する。
そして８ｃｍＣＤが挿入された場合には、センタリングピン２２ｃの回動は小さいため当然センタリングアーム２２の回動も小さく、センタリングアーム２２に形成されているカム面２２ａがスイッチ２７のみに当接してスイッチ２７のみをオンする。そして挿入されたＣＤは８ｃｍＣＤと判断する。
また、１２ｃｍＣＤが挿入された場合には、センタリングピン２２ｃの回動は大きくセンタリングアーム２２のカム面２２ａはスイッチ２７及びスイッチ２８に当接して、各スイッチをオンする。そして両方のスイッチ２７，２８がオンされたことで、挿入されたＣＤが１２ｃｍＣＤと判断する。
【００３３】
次に、各ＣＤディスクを位置決めする位置決め手段の構成について説明する。
図８は、ディスクを位置決めする位置決め手段を下面方向から見た状態を示す斜視図、図９は位置決め手段の平面図である。
【００３４】
図８及び図９に示すように、符号５はセンタリングガイドアームであり、搬送されてきたディスクをセンタリング位置決めするための部材である。
また、符号６はクランパアームで、該クランパアーム６は、図１で示したシャーシ２に固定片６ａを介して傾動可能に取り付けられている。クランパアーム６のほぼ中央には、ディスクの中心を再生機構のスピンドルモータ上にクランプするクランパ６１が配設されている。
そして前記センタリングガイドアーム５は前記クランパアーム６の後方部分に軸５１，５１によって軸支されることにより、傾動可能に配設されている。
【００３５】
センタリングガイドアーム５は、少なくともＣＤの厚みより大きい厚みを有する板状プラスチックで形成されている。
そしてその内側は、第１の位置決め部５２が形成されている。すなわち、８ｃｍのＣＤの外周に合うように円弧状に形成されており、図１０に示すように、搬送されてきた８ｃｍのＣＤの外周縁が第１の位置決め部５２に当接することで８ｃｍのＣＤは再生機構に対する所定位置に位置決めされる。すなわち、ディスクの中心がターンテーブルの中心と一致する位置であり、クランプできる位置に位置決めされる。
また、前記センタリングガイドアーム５の外側には、図８及び図９（ａ）のＡ−Ａ断面図である図９（ｃ）に示すように第２位置決め部５３が形成されている。この第２位置決め部５３は、センタリングガイドアーム５の外周を１２ｃｍのＣＤの外周に合うように円弧状に立ち上がり部を形成したもので、図１１に示すように、搬送されてきた１２ｃｍのＣＤの外周縁がこの第２位置決め部５３、すなわち立ち上がり部に当接することで１２ｃｍのＣＤは再生機構に対する所定位置に位置決めされる。例えば、ディスクの中心がターンテーブルの中心と一致する位置であり、ディスクをクランプできる位置に位置決めされる。
そして、センタリングガイドアーム５は、常時はクランパアーム６に対して下方へと傾斜する状態に付勢されており、８ｃｍのＣＤ用の第１の位置決め部５２がディスク搬送経路上に突出した状態にある。そのため、ＣＤが搬送されてくると、図１０に示すようにその外周縁が第１の位置決め部５２と当接して位置決めされる。
【００３６】
次にセンタリングガイドアームの傾動を説明する。
図９（ａ）に示されるガイド逃がしアーム５４は、シャーシ２の一側に支持ピン５４ｃによって回動自在に配設されている。ガイド逃がしアーム５４は、その前端に、搬送されてきた１２ｃｍのＣＤと当接する当接部５４ｂが形成されているとともに、後端には、アームピン５４ａが設けられている。一方、図９（ｂ）に示されるように、センタリングガイドアーム５の側方に設けられた延出部５５には、テーパ面５５ａが形成されている。
したがって、１２ｃｍのＣＤの搬送の際には、ＣＤの外周縁がガイド逃がしアーム５４のアームピン５４ｂと当接し、ガイド逃がしアーム５４を支持ピン５４ｃを中心に回動させる。そして、後端のアームピン５４ａは、テーパ面５５ａに接触し、図１１に示すように、センタリングガイドアーム５を上方へと持ち上げ、クランパアーム６と平行となる。その結果、ＣＤの搬送経路上に突出していた第１の位置決め部５２は上方へ退避し、１２ｃｍのＣＤの搬送経路が確保される。搬送された１２ｃｍのＣＤは、第２の位置決め部５３と当接して再生機構上に位置決めされる。
また、８ｃｍのＣＤの搬送の際には、センタリングピン２２ｃにより装置中心方向にセンタリングされて搬送される。この際８ｃｍＣＤは１２ｃｍＣＤに比べて外径が小さいため、前記アームピン５４ｂに当接することはない。
【００３７】
また、他の例として、当接部５４ｂをセンタリングピン２２ｃで兼ねるようにする。具体的な構成は図示しないが、逃がしアーム５４の前端側を延長させ、当接部５４ｂがセンタリングピン２２ｃの常置場所に位置するようにする。
そして、逃がしアーム５４の後端に設けられているアームピン５４ａをセンタリングガイドアーム５のテーパ面５５ａより離間させる等して、８ｃｍＣＤが搬入された場合にはアームピン５４ａはテーパ面５５ａに接触せず、１２ｃｍＣＤが搬入された場合にのみアームピン５４ａはテーパ面５５ａに接触するように構成する。
すなわち、８ｃｍＣＤ搬入時にセンタリングピン２２ｃは少量回動するが、アームピン５４ａがテーパ面５５ａに接触するまでには至らず、１２ｃｍＣＤ搬入時でセンタリングピン２２ｃが大きく回動した時のみアームピン５４ａがテーパ面５５ａに接触してセンタリングガイドアーム５を上方へ押し上げるようにする。
【００３８】
また、上述した内容でセンタリングガイドアーム５は前記クランパアーム６の後方部分に軸５１，５１によって軸支されて傾動可能に配設されているように説明したが、これに限らず他の方法で移動するようにしてもよい。
例えばセンタリングガイドアーム５全体を弾性体等で吊った状態にしておき、常時は８ｃｍのＣＤ用の第１の位置決め部５２がディスク搬送経路上に突出した状態にあり、１２ｃｍＣＤ搬入時にはセンタリングガイドアーム５全体が押し上げられ、搬送経路上に第２位置決め部５３が位置するようにしてもよい。
【００３９】
また、センタリングガイドアーム５の第１の位置決め部５２及び第２の位置決め部５３には、それぞれディスクが位置決めされたことを検出する第１及び第２の検知部材が設けられている。
図９に示すように、この検知部材は一側が二股状に形成される検知アーム５６と、該検知アーム５６の二股先端部にそれぞれ形成される第１の検知部材としての検知ピン５２ａ及び第２の検知部材としての検知ピン５３ａとで形成されている。
そして該検知アーム５６は、前記検知ピン５２ａが前記第１の位置決め部５２より若干突出するように、また、前記検知ピン５３ａが前記第２の位置決め部５３より若干突出するように配置され、センタリングガイドアーム５に対してピン５６ｂにより回動自在に軸支されている。そして８ｃｍのＣＤまたは１２ｃｍのＣＤが搬送され、該ＣＤの外周縁が前記検知ピン５２ａまたは検知ピン５３ａに当接することで検知アーム５６は若干量回動する。そして後に詳しく説明するが、センタリングガイドアーム５が上方に傾動すると共に、該検知アーム５６もＣＤより離間してＣＤクランプ可能状態となる。
【００４０】
また検知アーム５６の他側には検知アームピン５６ａが形成されており、該検知アームピン５６ａは連結部材５７の一側に形成されたＬ字状の長穴５７ａに嵌合している。
前記連結部材５７は、クランパアーム６の側方にて装置の前後方向（図中では上下方向）にスライド自在に配設されており、ＣＤ未装填時には図に示すように、図１２（ａ）に示すように、検知ピン５６ａはＬ字長穴の短穴部に位置している。
そしてＣＤが搬送され、その外周縁が検知ピン５２ａまたは検知ピン５３ａに当接して該ＣＤが位置決め部材５２または５３に位置決めされると検知アーム５６は若干量回動する。すると検知アームピン５６ａは連結部材５７を押し下げつつ図１２（ｂ）に示す位置に変位する。
【００４１】
次に図１３に示すように、連結部材５７の下端にはラック４４が回動自在に連結されている。また該ラック４４は軸４４ｂにより回動可能に配置されている。さらにシャーシ２にはモータ４が配設されており、該モータ４にはギヤ４１が噛み合い、さらには該ギヤ４１にはギヤ４２に噛み合っている。そしてこのギヤ４１及びギヤ４２によりモータ４の回転数を減衰させるようにしている。
上記のように係合する各部材において、連結部材５７が押し下げられると、連結部材５７の他端に回動自在に連結されているラック４４がギヤ４２に噛合い、該ラック４４が押し下げられる。よって連結部材５７はさらに押し下げられ、その結果、図９（ｄ）に示すように、連結部材５７に形成されたテーパ面５７ｂとセンタリングガイドアーム５に形成されたテーパ部５８とが合わさり、センタリングガイドアーム５を押し上げ、センタリングガイドアーム５をＣＤより離間させる。
【００４２】
また図１０、図１１に示すように、ＣＤが位置決めされると、前記ラック４４と一体形成されているラックピン４４ａが押し下げられ、該ラックピン４４ａと嵌合しているカム４３が回転する。さらに、該カム４３に一体成形されているカムピン４３ａに嵌合するロックレバー４５が横方向（図中では左方向）にスライド移動し、さらには、該ロックレバー４５に立設するロックアームピン４６がロックアーム２１，２１を押動し、ロックアーム２１，２１をそれぞれ内側方向へ回転させる。その結果、ロックアーム２１，２１は切り欠き部１２との嵌合が解除され、シャーシ２はフローティング状態で支持されるようになる。
また、連結部材５７の移動に伴って、図示せぬクランプ機構及びディスク搬送ローラ退避機構もモータ４からの動力を伝達される構成となっている。そのため、クランプ機構は、位置決めされた各ディスクをクランプし、ディスク搬送ローラ退避機構は、ディスクとローラとの当接を解除させるように、ディスク搬送ローラ８をディスク面上から退避させる。そしてＣＤの再生を行うことができるようになる。
このように、センタリングガイドアーム５の移動による位置決め部５２，５３及び検知ピン５２ａ、５３ａと該ＣＤとの接触の解除、ディスク搬送ローラ８の退避移動によるディスク搬送ローラ８と該ＣＤの接触の解除によって、該ＣＤの再生が適切になされることとなる。
【００４３】
次に上述したように構成される本発明の記録媒体再生装置の動作説明をする。
まず、８ｃｍＣＤの場合の搬送動作過程の説明を行う。
８ｃｍＣＤを挿入口１１より装置内へ挿入すると、例えば図５に示す左右どちらかのセンタリングピン２２ｃに当接する。センタリングピン２２ｃはディスクに押されて回動し、この動作に連動して連結アーム２３を介してガイドピン２５が長孔２４内を移動する。そしてセンタリングピン２２ｃの回動によりセンタリングアーム２２のカム面２２ａがスイッチ２７と接触し、スイッチ２７がＯＮ状態となる。そしてスイッチ２７のＯＮに連動して、ディスク搬送ローラ８の回転駆動が開始され、ＣＤの搬送を開始する。
搬送されたＣＤは、ディスク搬送ローラ８とディスクガイドアーム７とにより挟持され、装置奥方向に搬送される。このとき、８ｃｍＣＤは、図７に示すような形状のディスクガイドアーム７により、やや上向きで再生機構上へ搬送される。
【００４４】
また、搬送過程においてセンタリングガイドアーム２２は、さらに回動するが、８ｃｍＣＤの最大径の部分がセンタリングピン２２ｃに当接した後は、再びもとの状態に戻る。
この際８ｃｍＣＤを挿入口１１に対して偏って挿入した場合、例えば、図６に示すように左側のセンタリングピン２２ｃのみに当接するように挿入口１１に対して斜め方向に挿入すると、センタリングアーム２２がある程度回動した時点で、ガイドピン２５が長孔２４の異径孔２４ａに入りこんでガイドピン２５の移動を阻止し、センタリングピン２２ｃがロックする。これにより８ｃｍＣＤは、装置の中心方向に移動し、センタリング動作がなされる。またこのセンタリング動作により８ｃｍＣＤはガイド逃がしアーム５４の当接部５４ｂに当接することはない。
【００４５】
次に再生機構上に搬送された８ｃｍＣＤは、センタリングガイドアーム５の第１の位置決め部５２に当接して再生機構上にセンタリングして位置決めされる。この時８ｃｍＣＤはやや上方に傾いて搬送されているため、正確に第１の位置決め部５２に当接される。
そして、８ｃｍＣＤの外周縁が検知ピン５２ａにあたり、検知アーム５６を回動させる。そして検知アーム５６の回動により連結部材５７が移動し、センタリングガイドアーム５をＣＤの外周縁から離間させる。
なお、連結部材５７の移動に基づいて、上述したようにロックアーム２１のロックが解除され、シャーシ２（再生機構）はフローティング状態となる。
また同時に、連結部材５７の移動に基づいて、ディスク搬送ローラ８が８ｃｍＣＤの記録面上から退避し、その後クランプ機構が動作する。そしてクランプが完了すると、再生動作が開始される。
なお、８ｃｍＣＤの搬送過程において、スイッチ２８がＯＮされないような構造となっているため、８ｃｍＣＤの搬送が完了した時点で、スイッチ２８がＯＮされていなければ、挿入されたディスクが８ｃｍＣＤと識別できる。
【００４６】
次に、１２ｃｍＣＤの場合について説明する。
１２ｃｍＣＤを挿入口１１より装置内へ挿入すると、例えば図５に示す左右どちらかのセンタリングピン２２ｃに当接する。センタリングピン２２ｃはディスクに押されて回動し、この動作に連動して連結アーム２３を介してガイドピン２５が長孔２４内を移動する。そしてセンタリングピン２２ｃの回動によりセンタリングアーム２２のカム面２２ａがスイッチ２７及びスイッチ２８と接触し、スイッチ２７及びスイッチ２８がＯＮ状態となる。そしてスイッチ２７のＯＮに連動して、ディスク搬送ローラ８の回転駆動が開始され、ＣＤの搬送を開始する。
搬送されたＣＤは、ディスク搬送ローラ８とディスクガイドアーム７とにより挟持され、装置奥方向に搬送される。このとき、１２ｃｍＣＤは、図７に示すような形状のディスクガイドアーム７により、略平行で再生機構上へ搬送される。
【００４７】
また、搬送過程においてセンタリングガイドアーム２２は、さらに回動するが、１２ｃｍＣＤの最大径の部分がセンタリングピン２２ｃに当接した後は、再びもとの状態に戻る。
【００４８】
一方、搬送途中において、１２ｃｍＣＤの外周縁がガイド逃がしアーム５４の当接部５４ｂと当接し、ガイド逃がしアーム５４を支持ピン５４ｃを中心に回動させ、センタリングアーム５を上方へ持ち上げ、クランパアーム６と平行になる。
その結果、１２ｃｍＣＤの搬送経路上に突出していた第１の位置決め部５２は上方へ退避し、１２ｃｍＣＤの搬送経路が確保されることになる。また、１２ｃｍＣＤの搬送経路上に、第２の位置決め部５３が立設するようになる。
【００４９】
次に、再生機構上に搬送された１２ｃｍＣＤは、センタリングガイドアーム５の第２の位置決め部５３に当接して再生機構上にセンタリングして位置決めされる。
そして、１２ｃｍＣＤの外周縁が検知ピン５３ａに当接し、検知アーム５６を回動させる。そして検知アーム５６の回動により連結部材５７が移動し、上述したようにセンタリングガイドアーム５を１２ｃｍＣＤの外周縁より離間させる。
なお、連結部材５７の移動に伴って、上述したようにロックアーム２１のロックが解除され、シャーシ２に搭載されている再生機構はフローティング状態となる。
また同時に、連結部材５７の移動に伴って、ディスク搬送ローラ８が１２ｃｍＣＤの記録面上から退避し、その後、クランプ機構が動作する。そしてクランプが完了すると、再生動作が開始される。
なお、１２ｃｍＣＤの搬送過程において、スイッチ２８がＯＮされる構造となっているため、１２ｃｍＣＤの搬送が完了した時点で、スイッチ２８がＯＮされていれば挿入されたディスクが１２ｃｍＣＤと識別できる。
【００５０】
次に、各ディスクの排出動作過程の説明を行う。
各ディスクの排出は、図示しないイジェクトボタンが押されると、上述した搬送動作過程の逆の動作を行い、８ｃｍＣＤ、１２ｃｍＣＤを挿入口１１から排出する。
なお、８ｃｍＣＤの場合は、スイッチ２７がＯＦＦとなった時点で、ディスク搬送ローラ８の駆動が停止し、挿入口１１からディスクの一部が突出した状態でディスク搬送ローラ８とディスクガイドアーム７によって挟持された状態となる。
さらに、１２ｃｍＣＤの場合は、スイッチ２８がＯＦＦとなった時点で、ディスク搬送ローラ８の駆動が停止し、挿入口１１からディスクの一部が突出した状態でディスク搬送ローラ８とディスクガイドアーム７によって挟持された状態となる。
【００５１】
以上説明したように本発明の記録媒体再生装置は、８ｃｍＣＤ及び１２ｃｍＣＤを第１の位置決め部５２及び第２の位置決め部５３が形成されたセンタリングガイドアーム５によって確実に位置決めすることができる。
そしてこのセンタリングガイドアームの移動量が若干のため、各ディスクの位置決め部が同一部材内に形成することができ、装置のコンパクト化及び部品点数の減少を図ることができる。
【００５２】
なお、上述した実施例において記録媒体をＣＤとして説明したが、これに限らずＤＶＤ等の他のディスク状記録媒体でもよい。
また、上述したＣＤの外径を８ｃｍ、１２ｃｍで説明したが、これに限らず適宜な外径を有したディスクでもよい。
【００５３】
【発明の効果】
以上説明したように本発明によれば、再生装置内部に搬送されてきた記録媒体をを再生機構上に精度よく位置決めすることができる。
【図面の簡単な説明】
【図１】本発明の実施例による記録媒体再生装置の全体斜視図である。
【図２】本発明の実施例による記録媒体再生装置の要部であるシャーシ部分を示した概略斜視図である。
【図３】本発明の実施例による記録媒体再生装置の平面図である。
【図４】本発明の実施例による記録媒体再生装置の正面図である。
【図５】センタリング機構の説明図である。
【図６】センタリングアームの動作説明図である。
【図７】ディスクガイドアームの説明図である。
【図８】センタリングガイドアームの斜視図である。
【図９】センタリングガイドアームの平面図である。
【図１０】８ｃｍＣＤが位置決め部に当接した状態の説明図である。
【図１１】１２ｃｍＣＤが位置決め部に当接した状態の説明図である。
【図１２】検知アームと連結部材の動作説明図である。
【図１３】動力伝達の説明図である。
【図１４】自動車に記録媒体再生装置を搭載した状態を示す説明図である。
【符号の説明】
１      筐体
１１    挿入口
１２    切り欠き部
２      シャーシ
２１    ロックアーム
２２    センタリングアーム
２２ａ  カム面
２２ｂ  支持ピン
２２ｃ  センタリングピン
２２ｄ  ピン
２３    連結アーム
２４    長孔
２４ａ  異径孔
２５    ガイドピン
２６    ばね
２７    スイッチ
２８    スイッチ
３      ダンパ
３１    ダンパシャフト
４      モータ
４１    ギヤ
４２    ギヤ
４３    カム
４３ａ  カムピン
４４    ラック
４４ａ  ラックピン
４４ｂ  軸
４５    ロックレバー
４６    ロックアームピン
５      センタリングガイドアーム
５１    軸
５２    第１の位置決め部
５２ａ  検知ピン
５３    第２の位置決め部
５３ａ  検知ピン
５４    逃がしアーム
５４ａ  アームピン
５４ｂ  当接部
５４ｃ  支持ピン
５５    延出部
５５ａ  テーパ面
５６    検知アーム
５６ａ  検知アームピン
５６ｂ  ピン
５７    連結部材
５７ａ  長孔
５７ｂ  テーパ面
５８    テーパ部
６      クランパアーム
６ａ    固定片
６１    クランパ
７      ディスクガイドアーム
７Ａ    テーパ面
７Ｂ    テーパ面
８      ディスク搬送ローラ
【図１】
0003949855.tif 000002
【図２】
0003949855.tif 000003
【図３】
0003949855.tif 000004
【図４】
0003949855.tif 000005
【図５】
0003949855.tif 000006
【図６】
0003949855.tif 000007
【図７】
0003949855.tif 000008
【図８】
0003949855.tif 000009
【図９】
0003949855.tif 000010
【図１０】
0003949855.tif 000011
【図１１】
0003949855.tif 000012
【図１２】
0003949855.tif 000013
【図１３】
0003949855.tif 000014
【図１４】
0003949855.tif 000015